(57)【要約】【課題】Ｂ４やＡ４などの定形サイズの用紙だけでなく、不定形サイズの用紙を収納できるユニバーサルカセットを備えた画像形成装置において、規制板のセット位置が不良である場合の画像不良を未然に防止するため、複雑な機構やセンサを複数使用することなく、速やかに規制板のセット位置不良をユーザーに通知する必要がある。【解決手段】画像形成装置が定形サイズの用紙をユニバーサルカセットに収納するモードで動作している場合に不定形サイズの用紙が収納されていると検出したタイミングで規制板のセット位置不良をユーザーに通知する構成とする。【選択図】図９
2013230929.tif 000002
【特許請求の範囲】
【請求項１】
用紙を収納するカセット本体に移動可能に設けられ、前記カセット本体に収納された用紙に応じた位置に移動して用紙の位置を規制する規制板（１０１，１０２，１０５）を有する給紙カセット（２１ａ）を使用して画像形成を行う画像形成装置において、
前記規制板のセット位置から用紙サイズを検知する用紙サイズ検知手段（３０８，３０９）と、前記用紙サイズ検知手段で検知された用紙のサイズを表示する表示手段（３０７）と、前記画像形成装置に対して定形サイズの用紙を前記給紙カセットに収納するモードか不定形サイズの用紙を前記給紙カセットに収納するモードのいずれかのモードで動作するように指示する指示手段（７０７，７０８）と、前記各手段を制御する制御手段（３０１）と、を有し、
前記制御手段は、前記画像形成装置が定形サイズの用紙を前記給紙カセットに収納するモードで動作している場合に、前記用紙サイズ検知手段により不定形サイズの用紙が収納されていると検出されたタイミングで、前記規制板のセット位置が不良であることを示す情報（９０１）を前記表示手段に表示するように制御すること（Ｓ８０３，Ｓ８０７，Ｓ８０９）を特徴とする画像形成装置。
【請求項２】
前記制御手段は、前記規制板のセット位置が不良である給紙カセットからの給紙を指示する画像形成を禁止する制御を行うこと（Ｓ８０８）を特徴とする請求項１に記載の画像形成装置。
【請求項３】
前記画像形成装置は、複数の給紙カセット（２１ａ，２１ｂ，２１ｃ，２１ｄ）をさらに備え、前記制御手段は、規制板のセット位置が不良である給紙カセットが前記複数の給紙カセットのうちのいずれであるかを示す情報（１００１）を前記表示手段に表示するように制御すること（Ｓ８０９）を特徴とする請求項２に記載の画像形成装置。
【発明の詳細な説明】
【技術分野】
【０００１】
本発明は、プリンタ、複写機、ファクシミリ等の画像形成装置に関し、特に、各種サイズの用紙を装填できるユニバーサルタイプの給紙カセットを備えた画像形成装置に関するものである。
【背景技術】
【０００２】
従来、例えばプリンタ、複写機、ファクシミリ等の画像形成装置においては、画像形成部に用紙を搬送して画像を形成するようにしたものが広く普及している。そして、このような画像形成装置としては、画像形成装置本体に給紙カセットを着脱自在に装着し、給紙カセットに収納された用紙を画像形成部に自動搬送する装置を備えているのが一般的である。このような画像形成装置に用いられる給紙カセットとしては、同一のカセットで各種サイズの用紙を収納することのできるユニバーサルカセットがある。ここで、このユニバーサルカセットの用紙収納部には、異なるサイズの用紙を収納することができるように用紙収納部に収納された用紙の給紙方向後端の位置を規制する後端規制板が設けられている。また、用紙の給紙方向と直交する幅方向の位置を規制する側端規制板が設けられている。そして、このようなユニバーサルカセットにおいては、側端規制板によって用紙の側端を規制する一方、後端規制板によって用紙の後端を規制し、用紙の先端位置を常に所定の位置に設定するようにしている。これにより、用紙のサイズにかかわらず、安定した用紙の給紙を行うことができる。
【０００３】
また、近年、一つの画像形成装置で、様々なサイズの用紙に画像を形成する要求があり、これに伴い給紙カセットにおいても一個の給紙カセットで、Ｂ４やＡ４などの定形サイズの用紙だけでなく、不定形サイズの用紙を収納できるものも求められている。
【０００４】
ところで、従来の画像形成装置においては、規制板と用紙との間の距離が不適当な場合に画像不良を未然に防止するための様々な技術が提案されている（例えば、特許文献１参照）。
【０００５】
上記特許文献１に係る画像形成装置は、用紙の送り方向の左右両側位置を規制する規制板と、用紙の送り方向の後端位置を規制する規制板と、規制板と用紙端面との隙間が一定の範囲内であることを検知する隙間検知手段と、画像形成動作全般を制御する制御装置と、画像形成情報を表示する表示装置とを有し、規制板と用紙端面との隙間が一定の範囲内にない場合、制御装置が表示装置に用紙の位置が不良であることを表示し、画像形成動作を停止させるように構成したものである。
【先行技術文献】
【特許文献】
【０００６】
【特許文献１】特開２００８−９４５９６号公報
【発明の概要】
【発明が解決しようとする課題】
【０００７】
しかしながら、上記従来技術の場合には、次のような問題点を有している。すなわち、上記特許文献１に係る画像形成装置は、規制板と用紙端面との隙間を検知する隙間検知手段という複数のセンサを給紙カセットに設ける必要があり、画像形成装置のコストアップを招いてしまう。
【０００８】
本発明は、上記従来技術の問題点を解決するためになされたものであり、低コストで、規制板のセット位置が不良であることをユーザーに通知すると共に、定形サイズの用紙を使用するモードと不定形サイズの用紙を使用するモードを切り替えることが可能な画像形成装置を提供することを目的とするものである。
【課題を解決するための手段】
【０００９】
すなわち、請求項１に記載された発明は、用紙を収納するカセット本体に移動可能に設けられ、前記カセット本体に収納された用紙に応じた位置に移動して用紙の位置を規制する規制板を有する給紙カセットを使用して画像形成を行う画像形成装置において、前記規制板のセット位置から用紙サイズを検知する用紙サイズ検知手段と、前記用紙サイズ検知手段で検知された用紙のサイズを表示する表示手段と、前記画像形成装置に対して定形サイズの用紙を前記給紙カセットに収納するモードか不定形サイズの用紙を前記給紙カセットに収納するモードのいずれかのモードで動作するように指示する指示手段と、前記各手段を制御する制御手段と、を有し、前記制御手段は、前記画像形成装置が定形サイズの用紙を前記給紙カセットに収納するモードで動作している場合に、前記用紙サイズ検知手段により不定形サイズの用紙が収納されていると検出されたタイミングで、前記規制板のセット位置が不良であることを示す情報を前記表示手段に表示するように制御することを特徴とする画像形成装置である。
【発明の効果】
【００１０】
本発明によれば、複雑な機構やセンサを複数使用することなく、画像形成装置が定形サイズの用紙を給紙カセットに収納するモードで動作している場合に不定形サイズの用紙が収納されていると検出したタイミングで規制板のセット位置不良をユーザーに通知する構成としたので、装置のコストダウン及び操作性向上に多大に貢献するものである。
【図面の簡単な説明】
【００１１】
【図１】画像形成装置の概略構成を示す断面図である。
【図２】画像形成装置に設けられた給紙カセットの一例であるユニバーサルカセットの概略構成を示す平面図である。
【図３】制御部５９の構成の一例を示すブロック図である。
【図４】操作部３０７の構成の一例を示す図である。
【図５】操作部３０７に表示される用紙の設定画面の表示例を示す図である。
【図６】操作部３０７に表示されるユーザー設定サイズ画面の表示例を示す図である。
【図７】操作部３０７に表示される用紙の設定画面の表示例を示す図である。
【図８】規制板セット位置不良画面の表示制御手順を示すフローチャートである。
【図９】操作部３０７に表示される規制板セット位置不良画面の表示例を示す図である。
【図１０】操作部３０７に表示される規制板セット位置不良画面の表示例を示す図である。
【発明を実施するための形態】
【００１２】
以下、本発明を実施するための最良の形態について図面を用いて説明する。
【００１３】
図１は、本実施形態における画像形成装置の一例であるフルカラー複写機の概略構成を示す断面図である。図１に示すように、フルカラー複写機は２００に示すデジタルカラー画像リーダ部（以下、リーダ部と称する）と、２０１に示すデジタルカラー画像プリンタ部（以下、プリンタ部と称する）とから構成されている。
【００１４】
リーダ部２００において、原稿を原稿台ガラス２１１上に載置し、光学系読み取り駆動モータ２１２により露光ランプ２１３，２１４を含む原稿走査ユニット２１５を予め設定された一定の速度で露光走査する。そして、原稿からの反射光像を、レンズ２１６によりフルカラーセンサ（ＣＣＤ）２１７に集光し、カラー色分解された画像信号を得る。このフルカラーセンサ２１７としては、互いに隣接して配置されたＲ（レッド）、Ｇ（グリーン）、Ｂ（ブルー）のフィルタを付けた３ラインのＣＣＤを用いている。また、カラー色分解された画像信号は、画像処理部２１８にて画像処理が施された後、プリンタ部２０１に送出される。
【００１５】
なお、原稿台ガラス２１１の周辺には操作部が設けられており、複写シーケンスに関する各種モード設定を行うハードキーや表示用のディスプレイ及び表示器が配置されている。
【００１６】
次に、プリンタ部２０１について説明する。プリンタ部２０１において、制御部５９はコントローラ部であり、ＣＰＵ、ＲＡＭ、ＲＯＭ等を備えるコントローラボードから構成されており、ＲＯＭに記憶される制御プログラムに基づき、給紙部、中間転写部、搬送部、定着ユニット、操作部の動作を総括的に制御している。
【００１７】
制御部５９の制御により画像を形成する画像形成部は、次に述べるような構成になっている。像担持体としての感光ドラム１１ａ，１１ｂ，１１ｃ，１１ｄがその中心で軸支され、矢印方向に不図示の駆動モータによって回転駆動される。感光ドラム１１ａ〜１１ｄの外周面に対向してその回転方向にローラ帯電器１２ａ，１２ｂ，１２ｃ，１２ｄ、スキャナー１３ａ，１３ｂ，１３ｃ，１３ｄ、現像装置１４ａ，１４ｂ，１４ｃ，１４ｄ、感光ドラムクリーニング装置１５ａ，１５ｂ，１５ｃ，１５ｄが配置されている。
【００１８】
このような構成において、ローラ帯電器１２ａ〜１２ｄが感光ドラム１１ａ〜１１ｄの表面に均一な帯電量の電荷を与える。次いで、スキャナー１３ａ〜１３ｄにより記録画像信号に応じて変調した、例えばレーザビームなどの光線を感光ドラム１１ａ〜１１ｄ上に露光させることにより、そこに静電潜像を形成する。更に、ブラック、シアン、マゼンタ、イエローといった４色のトナーをそれぞれ収納した現像装置１４ａ〜１４ｄによって上記静電潜像を顕像化する。顕像化された可視画像を中間転写体３０に転写する。その後、感光ドラム１１ａ〜１１ｄ上に残った残留トナーは、感光ドラムクリーニング装置１５ａ〜１５ｄによって回収される。以上に示したプロセスにより、各トナーによる画像形成が順次行われる。
【００１９】
次に、給紙部は、用紙Ｐを収納する部分と、用紙Ｐを搬送するためのローラ、用紙Ｐの通過を検知するためのセンサ、用紙Ｐの有無を検知するためのセンサ、用紙Ｐを搬送路に沿って搬送させるためのガイド（図示せず）から構成される。
【００２０】
２１ａ，２１ｂ，２１ｃ，２１ｄはユニバーサルカセット、２７は手差しトレイ、２８はデッキであり、用紙Ｐを収納する。２２ａ，２２ｂ，２２ｃ，２２ｄは、ユニバーサルカセット２１ａ〜２１ｄから用紙Ｐを上から一枚ずつ送り出すためのピックアップローラである。ピックアップローラ２２ａ〜２２ｄでは、複数枚の用紙Ｐが送り出されることがあるが、ＢＣローラ２３ａ，２３ｂ，２３ｃ，２３ｄによって確実に一枚だけ分離される。ＢＣローラ２３ａ〜２３ｄによって一枚だけ分離された用紙Ｐは、更に引き抜きローラ２４ａ，２４ｂ，２４ｃ，２４ｄ、レジ前ローラ２６によって搬送され、レジストローラ２５まで搬送される。
【００２１】
また、手差しトレイ２７に収納された用紙Ｐは、ＢＣローラ２９によって一枚分離され、レジ前ローラ２６によってレジストローラ２５まで搬送される。また、デッキ２８に収納された用紙Ｐは、ピックアップローラ６０によって給紙ローラ６１まで複数枚搬送され、給紙ローラ６１によって一枚だけ確実に分離され、引き抜きローラ６２まで搬送される。更に用紙Ｐはレジ前ローラ２６によってレジストローラ２５まで搬送される。
【００２２】
定着ユニット４０は、内部にハロゲンヒーターなどの熱源を備えた定着ローラ４１ａとそのローラ４１ａに加圧されるローラ４１ｂ（このローラにも熱源を備える場合もある）、これらローラ対から排出されてきた用紙Ｐを搬送する内排紙ローラ４４から成る。
【００２３】
一方、レジストローラ２５まで搬送された用紙Ｐは、レジストローラ２５よりも上流のローラの回転駆動を止めて一旦停止させ、画像形成部の画像形成タイミングに合わせてレジストローラ２５を含む上流のローラの回転駆動が再開される。用紙Ｐは後述の二次転写領域へ送り出される。
【００２４】
二次転写領域において画像が転写され、定着ユニット４０において画像が定着された用紙Ｐは、内排紙ローラ４４を通過した後、切り替えフラッパー７３によって、搬送先が切り替えられる。切り替えフラッパー７３がフェイスアップ排紙側にある場合は、用紙Ｐは外排紙ローラ４５によってフェイスアップ排紙トレイ２に排出される。
【００２５】
一方、切り替えフラッパー７３がフェイスダウン排紙側にある場合は、用紙Ｐは反転ローラ７２ａ，７２ｂ，７２ｃの方向へ搬送され、フェイスダウン排紙トレイ３へ排出される。
【００２６】
なお、用紙Ｐの搬送路には、用紙Ｐの通過を検知するために複数のセンサが配置されており、給紙リトライセンサ６４ａ，６４ｂ，６４ｃ，６４ｄ、デッキ給紙センサ６５、デッキ引き抜きセンサ６６、レジストセンサ６７、内排紙センサ６８、フェイスダウン排紙センサ６９、両面プレレジセンサ７０、両面再給紙センサ７１等がある。
【００２７】
また、用紙Ｐを収納するユニバーサルカセット２１ａ〜２１ｄには、用紙Ｐの有無を検知するユニバーサルカセット紙ありなしセンサ６３ａ，６３ｂ，６３ｃ，６３ｄが配置され、手差しトレイ２７には手差しトレイ２７上の用紙Ｐの有無を検知する手差しトレイ紙ありなしセンサ７４が配置され、デッキ２８にはデッキ２８内の用紙Ｐの有無を検知するデッキ紙ありなしセンサ７５が配置されている。
【００２８】
図２は、実施形態における画像形成装置に設けられた給紙カセットの一例であるユニバーサルカセットの概略構成を示す平面図である。このユニバーサルカセット２１ａは、各種サイズの用紙を積載収納するカセット本体と、用紙の側端位置を規制する一対の側端規制板１０１，１０２と、用紙の後端位置を規制する後端規制板１０５を備えている。
【００２９】
さらに、不図示の弾性部材により上方に付整されるとともに、支軸１０４を中心に回動し、積載された用紙をピックアップローラ２２ａに向けて押圧する中板１０８を備えている。なお、側端規制板１０１，１０２と後端規制板１０５は、中板１０８の回動動作に影響しない位置に配置されている。
【００３０】
そして、各種サイズの用紙をカセット本体内に収納する際には、側端規制板１０１，１０２を用紙の側端に当接させて用紙の側端位置を規定するとともに、後端規制板１０５を用紙の後端に当接させて用紙の後端位置を規定する。これにより、用紙を位置決めした状態で収納することができる。
【００３１】
なお、用紙を搬送する際は、ユニバーサルカセット２１ａを矢印A方向より画像形成装置本体内に装着した際、不図示の回動機構により中板１０８を、支軸１０４を中心に上方回動させる。これにより、側端規制板１０１，１０２及び後端規制板１０５により位置決めされた用紙がピックアップローラ２２ａに押し付けられる。
【００３２】
ところで、一対の側端規制板１０１，１０２は、それぞれ下部に側端規制板１０１，１０２の移動方向である幅方向と同方向（矢印B方向）に延びたラック部１０６，１０７を備えている。そして、このラック部１０６，１０７は、ユニバーサルカセット２１ａの底板に矢印B方向に設けられた不図示のガイド溝に案内されて、幅方向に移動自在となっている。
【００３３】
なお、１０３はユニバーサルカセット２１ａの底面中央部に回転自在に設けられているピニオンであり、このピニオン１０３に、ラック部１０６，１０７に形成された不図示のラック歯がそれぞれ噛み合っている。これにより、いずれか一方の側端規制板を幅方向に移動させると、ピニオン１０３とラック部１０６，１０７との作用により、他方の側端規制板が連動して一方の側端規制板と逆方向に移動する。
【００３４】
そして、このように一方の側端規制板を移動させることによって両方の側端規制板１０１，１０２を同時に幅方向に移動させて中板１０８に積載した用紙の側端を当接させることにより、用紙の幅方向の位置決めを容易に行うことができる。
【００３５】
後端規制板１０５は、ユニバーサルカセット２１ａの底板に矢印C方向に設けられたガイド溝に案内されて給紙方向に移動自在になっている。
【００３６】
図３は、実施形態における制御部５９の構成の一例を示すブロック図である。図３に示すＣＰＵ３０１はフルカラー複写機の基本制御を行う。このＣＰＵ３０１には、詳細は後述する図８に示す制御プログラムや制御データが書き込まれたＲＯＭ３０２と、ＣＰＵ３０１が処理を実行時に使用するワーク用ＲＡＭ３０３とがアドレスバス及びデータバスを介して接続されている。また、ＣＰＵ３０１には、リーダ部２００、プリンタ部２０１の各構成要素を制御するための入出力ポート等を含む電気回路であるリーダ制御部３０５及びプリンタ制御部３０６も接続されており、ＣＰＵ３０１は、制御プログラムの内容に従って、リーダ制御部３０５及びプリンタ制御部３０６を制御して画像形成動作を実行する。さらに、ＣＰＵ３０１には、リーダ制御部３０５によって変換された原稿画像のデジタルデータに対して各種画像処理を行う画像処理部３０４も接続されている。また、ＣＰＵ３０１には、側端規制板１０１，１０２のセット位置を検知するセンサ３０８と後端規制板１０５のセット位置を検知するセンサ３０９も接続されている。ここで、ＣＰＵ３０１は、側端規制板セット位置検知センサ３０８及び後端規制板セット位置検知センサ３０９で検知した各規制板のセット位置からユニバーサルカセット２１ａ〜２１ｄに収納されている用紙のサイズを算出する。さらに、ＣＰＵ３０１には、操作部３０７も接続されている。ここで、この操作部３０７の詳細な構成について説明する。
【００３７】
図４は、実施形態における操作部３０７の構成の一例を示す図である。図４において、６０１はタッチパネルディスプレイであり、図５に示すように、用紙の設定画面５０１が表示されている。なお、図５に示す例は、ユニバーサルカセット２１ａ〜２１ｄにそれぞれＡ４サイズ、Ａ３サイズ、Ｂ５サイズ、Ｂ４サイズの用紙を収納した状態である。
【００３８】
図４に戻り、６０２はリセットキーであり、操作部３０７で設定された機能をデフォルト値に戻す。６０３はスタートキーであり、コピー動作を開始する。６０４はストップキーであり、コピー動作を中断する。６０５はクリアキーであり、コピーモードを標準モードに戻す。６０６はテンキーであり、コピー部数を設定する。６０７はカラーモード選択キーであり、原稿がカラーであるか白黒であるかを自動的に判別してカラーの場合はカラーで出力し、白黒の場合は白黒で出力するＡＣＳ（オートカラーセレクト）キーと、原稿に関係なくカラー出力するＣｏｌｏｒキーと、原稿に関係なく白黒出力するＢｌａｃｋキーがあり、何れか一つのキーが点灯している。
【００３９】
図５は実施形態における操作部に表示される用紙の設定画面の表示例を示す図である。図５において、５０２，５０３，５０４，５０５はユニバーサルカセット選択キーであり、いずれかのキーを押下することにより、設定対象のカセットかどうかを切り替える。また、ユニバーサルカセット２１ａ〜２１ｄに定形サイズの用紙を収納するモードが設定されている場合に、側端規制板セット位置検知センサ３０８及び後端規制板セット位置検知センサ３０９により検知された用紙サイズが表示される。５０６は選択中の用紙情報表示領域であり、ユニバーサルカセット選択キー５０２〜５０５で選択されたいずれかのユニバーサルカセットに収納されている用紙の情報が表示される。５０７は「ユーザー設定サイズ」キーであり、キー押下することにより、図６に示すユーザー設定サイズ画面７０１に遷移する。
【００４０】
図６は実施形態における操作部に表示されるユーザー設定サイズ画面の表示例を示す図である。図６において、７０２は給紙方向の用紙サイズ選択キーであり、キー押下することにより、ソフトキー７０４、クリアキー６０５、テンキー６０６を使用して、給紙方向の用紙サイズの入力が可能となる。また、７０３は幅方向の用紙サイズ選択キーであり、キー押下することにより、ソフトキー７０４、クリアキー６０５、テンキー６０６を使用して、幅方向の用紙サイズの入力が可能となる。７０５，７０６はそれぞれ給紙方向の用紙サイズ表示領域、幅方向の用紙サイズ表示領域である。７０７は「ＯＫ」キーであり、キー押下することにより、ＣＰＵ３０１がユーザー設定サイズ画面７０１で入力した用紙サイズを設定対象のユニバーサルカセットに対して設定し、図７に示す用紙の設定画面５０１に遷移する。なお、設定対象のユニバーサルカセットに定形サイズの用紙を収納するモードが設定されている場合、ＣＰＵ３０１は不定形サイズの用紙を収納するモードで動作するようにモードを切り替える。なお、図７に示す例は、ユニバーサルカセット２１ａに不定形サイズの用紙を収納するモードが設定されていることを表示している。
【００４１】
図６に戻り、７０８は「設定取消」キーであり、キー押下することにより、ユーザー設定サイズ画面７０１の入力を取り消し、図５に示す用紙の設定画面５０１に遷移する。なお、設定対象のユニバーサルカセットに不定形サイズの用紙を収納するモードが設定されている場合、ＣＰＵ３０１は定形サイズの用紙を収納するモードで動作するようにモードを切り替える。
【００４２】
次に、図８のフローチャートを用いて規制板セット位置不良画面の表示制御手順について説明する。なお、フローチャートで示す表示制御手順が制御部５９のＲＯＭ３０２とＲＡＭ３０３のいずれかの記憶手段に記憶され、ＣＰＵ３０１により実行される。
【００４３】
カラー複写機本体に電源が投入されると、ＣＰＵ３０１は、ステップＳ８０１でユニバーサルカセット２１ａ〜２１ｄのいずれかでクローズされたかどうかをチェックする。次に、ＣＰＵ３０１は、ステップＳ８０２に処理を進め、クローズを検知したユニバーサルカセットの用紙残量情報を取得する。ＣＰＵ３０１は、ステップＳ８０３でクローズを検知したユニバーサルカセットに定形サイズの用紙を収納するモードが設定されているかどうかをチェックする。ＣＰＵ３０１は、定形サイズの用紙を収納するモードが設定されていると判断した場合、ステップＳ８０４に処理を進め、側端規制板セット位置検知センサ３０８及び後端規制板セット位置検知センサ３０９から規制板のセット位置情報を取得する。次に、ＣＰＵ３０１は、ステップＳ８０５に処理を進め、規制板のセット位置情報から用紙サイズを確定する。一方、ＣＰＵ３０１は、ステップＳ８０３で定形サイズの用紙を収納するモードが設定されていないと判断した場合には、ステップＳ８０６に処理を進め、ＲＡＭ３０３に記憶していたユーザー設定サイズ情報を取得し、処理を終える。次に、ＣＰＵ３０１は、ステップＳ８０７で確定した用紙サイズが不定形サイズであるか否かをチェックする。ＣＰＵ３０１は、確定した用紙サイズが不定形サイズであると判断した場合、ステップＳ８０８に処理を進め、このユニバーサルカセットからの給紙を禁止するために用紙残量なしという情報をＲＡＭ３０３に登録する。一方、ＣＰＵ３０１は、ステップＳ８０７で確定した用紙サイズが不定形サイズでないと判断した場合、処理を終える。次に、ＣＰＵ３０１は、ステップＳ８０９に処理を進め、図９に示すように規制板セット位置不良画面９０１を操作部３０７に表示し、処理を終える。ここで、この規制板セット位置不良画面９０１の詳細について説明する。
【００４４】
図９は実施形態における操作部に表示される規制板セット位置不良画面の表示例を示す図である。図９において、９０２は「ＯＫ」キーであり、キー押下により規制板セット位置不良画面９０１を閉じる。９０３は規制板セット位置不良が発生している箇所を示しており、他の正常なユニバーサルカセットと区別がつくように反転表示されている。９０４は規制板セット位置確認イラストであり、側端規制板１０２及び後端規制板１０５のセット位置を詳細に示している。９０５は規制板セット位置不良警告メッセージであり、規制板セット位置不良画面９０１が閉じられても常時表示される。
【００４５】
また、図１０は実施形態における操作部に表示される規制板セット位置不良画面の表示例を示す図であり、ユニバーサルカセット２１ａ，２１ｄで規制板セット位置不良が発生していることを９０３，９０６で示している。
【００４６】
以上説明したように、本実施形態によれば、複雑な機構やセンサを複数使用することなく、画像形成装置が定形サイズの用紙をユニバーサルカセットに収納するモードで動作している場合に不定形サイズの用紙が収納されていると検出したタイミングで規制板のセット位置不良をユーザーに通知する構成としたので、装置をコストダウンするとともに操作性を向上する効果がある。
【００４７】
本実施形態において使用しているセンサやメカ構成は一例であり、構成や配置の変更により適時機能を実現できることはいうまでもない。
【符号の説明】
【００４８】
２００  デジタルカラー画像リーダ部
２０１  デジタルカラー画像プリンタ部
【図１】
2013230929.tif 000003
【図２】
2013230929.tif 000004
【図３】
2013230929.tif 000005
【図４】
2013230929.tif 000006
【図５】
2013230929.tif 000007
【図６】
2013230929.tif 000008
【図７】
2013230929.tif 000009
【図８】
2013230929.tif 000010
【図９】
2013230929.tif 000011
【図１０】
2013230929.tif 000012